(57)【要約】【課題】  無線アドホックネットワークにおいて、データが中継されるパスを簡単に目視で見分けられる安価な無線端末システム、無線端末を提供する。【解決手段】  表示有無指定部６は、受信部４がデータフレーム１００を受信した場合に、データフレーム１００を受信したことを示す受信表示を表示部９に表示させるかどうかの表示設定を保持している。表示時間設定部７は、表示部９に受信表示を表示させる場合の表示時間の設定を保持している。制御部１は、受信部４がデータフレーム１００を受信した場合に、表示有無指定部６と表示時間設定部７との設定を参照する。制御部１は、表示有無指定部６の表示設定が表示させる設定の場合、表示時間設定部７の保持する表示時間の設定に従って、その時間、表示部９に受信表示を表示させる。【選択図】        図１
2007049373.tif 000002
【特許請求の範囲】
【請求項１】
無線中継の対象である中継データを無線中継する複数の無線中継装置を備え、前記複数の無線中継装置のうち少なくとも何れかを用いることにより前記中継データの中継ルートを設定可能な無線中継システムにおいて、
前記複数の無線中継装置のそれぞれは、
前記中継データを受信する受信部と、
前記受信部が前記中継データを受信した場合に、前記中継データを受信したことを示す受信表示を表示する表示部と、
前記受信部が受信した前記中継データを無線中継するために送信する送信部と
を備えたことを特徴とする無線中継システム。
【請求項２】
無線中継の対象である中継データを受信し、受信した前記中継データを無線中継する無線中継装置において、
前記中継データを受信する受信部と、
前記受信部が前記中継データを受信した場合に、前記中継データを受信したことを示す受信表示を表示する表示部と、
前記受信部が受信した前記中継データを無線中継するために送信する送信部と
を備えたことを特徴とする無線中継装置。
【請求項３】
前記無線中継装置は、さらに、
前記受信表示を前記表示部に表示させるか否かのいずれかの設定である表示設定を保持する設定保持部と、
前記受信部が前記中継データを受信した場合に前記設定保持部が保持する前記表示設定を参照し、参照の結果、前記表示設定が前記受信表示を前記表示部に表示させる設定である場合に、前記受信表示を前記表示部に表示させる制御部と
を備えたことを特徴とする請求項２記載の無線中継装置。
【請求項４】
前記設定保持部は、
前記受信表示を前記表示部に表示させる表示時間の設定である時間設定を保持し、
前記制御部は、
前記設定保持部が保持する前記時間設定に基づいて、前記受信表示を前記表示部に表示させることを特徴とする請求項３記載の無線中継装置。
【請求項５】
前記制御部は、
前記表示設定を設定し、設定した前記表示設定を前記設定保持部に保持させることを特徴とする請求項３記載の無線中継装置。
【請求項６】
前記受信部は、
前記表示設定を指定する表示設定指定情報を受信し、
前記制御部は、
前記受信部が受信した前記表示設定指定情報に従って前記表示設定を設定し、設定した前記表示設定を前記設定保持部に保持させることを特徴とする請求項５記載の無線中継装置。
【請求項７】
前記制御部は、
前記時間設定を設定し、設定した前記時間設定を前記設定保持部に保持させることを特徴とする請求項４記載の無線中継装置。
【請求項８】
前記受信部は、
前記時間設定を指定する時間設定指定情報を受信し、
前記制御部は、
前記受信部が受信した前記時間設定指定情報に従って前記時間設定を設定し、設定した前記時間設定を前記設定保持部に保持させることを特徴とする請求項７記載の無線中継装置。
【請求項９】
前記受信部が受信する前記中継データは、
前記受信表示を前記表示部に表示させるか否かを指定する表示指定データを含み、
前記無線中継装置は、さらに、
前記受信部が受信した前記中継データに含まれる前記表示指定データに従って、前記受信表示を前記表示部に表示させるかどうかを判定する制御部を備えたことを特徴とする請求項２記載の無線中継装置。
【請求項１０】
前記受信部が受信する前記中継データは、
前記表示指定データが前記受信表示を前記表示部に表示させることを指定するとともに、前記受信表示を前記表示部に表示させる表示時間を指定する時間指定データを含み、
制御部は、
前記受信部が受信した前記中継データに含まれる前記時間指定データの指定に従って、前記受信表示を前記表示部に表示させることを特徴とする請求項９記載の無線中継装置。
【請求項１１】
前記表示部は、
制御されることが可能であり、
前記受信部は、
受信した前記中継データの受信強度を測定する受信強度測定部を備え、
前記無線中継装置は、さらに、
前記受信強度測定部が測定した前記中継データの受信強度に基づいて、前記表示部を制御する制御部を備えたことを特徴とする請求項２記載の無線中継装置。
【請求項１２】
前記表示部は、
光りを発する発光装置と、音を発生する音発生装置と、振動を発生する振動発生装置との少なくともいずれかを含むことを特徴とする請求項２〜１１のいずれかに記載の無線中継装置。
【発明の詳細な説明】
【技術分野】
【０００１】
この発明は、データを無線中継する無線中継システム、無線中継装置に関する。例えば、アドホック・マルチホップネットワークシステムに関する。
【背景技術】
【０００２】
従来の無線端末は、複数のＬＥＤ（発光ダイオード：Ｌｉｇｈｔ  Ｅｍｉｔｔｉｎｇ  Ｄｉｏｄｅ）を円周上に設け、指向性の高いアンテナを使うことにより、受信電波レベルが最高となる方向のＬＥＤを点灯させることによって、複数ある親局の中からその無線端末が子局として接続される親局の存在する方向を示すようになっていた。（例えば、特許文献１）。また、ノート型パーソナルコンピュータのような画面を持つ端末を使って受信強度を絵として画面に表示したり（例えば、特許文献２）、あるいは、ＬＥＤの点灯期間を変えることで受信強度を表示する方法が提案されている（例えば、特許文献３）。
【０００３】
従来の無線端末は、親局と子局の関係のように中継なしで通信が完了するような場合や、親局からのポーリングに子局が応答するような接続の場合を想定しているため、複数回中継が行われ、その時の電波伝搬環境によって中継パスが変わるようなアドホック・マルチホップネットワークには適用できない。すなわち、表示期間やＬＥＤの点灯期間が短すぎて、どのようなパスを通ってデータが中継されているかを見分けられない、あるいは、全ての無線端末でＬＥＤが点灯状態となるため、どのようなパスを通ってデータが中継されているか見分けられないという問題点があった。また、表示のためＬＣＤ（液晶ディスプレイ：Ｌｉｑｕｉｄ  Ｃｒｙｓｔａｌ  Ｄｉｓｐｌａｙ）パネルのような表示装置や、数多くのＬＥＤが必要でコスト高になるという問題点があった。
【特許文献１】特開２００２−１２４９６２号公報、第２頁〜３頁、第２図
【特許文献２】特開平１０−３９９６６号公報、第３頁、第８図
【特許文献３】特開２００１−１９７０７３号公報、第１頁〜２頁、第２図
【発明の開示】
【発明が解決しようとする課題】
【０００４】
この発明は上記のような問題点を解決するためになされたもので、データが中継されるパスを簡単に目視で見分けられる安価なシステム、及び無線端末を提供することを目的とする。
【課題を解決するための手段】
【０００５】
本発明の無線中継システムは、
無線中継の対象である中継データを無線中継する複数の無線中継装置を備え、前記複数の無線中継装置のうち少なくとも何れかを用いることにより前記中継データの中継ルートを設定可能な無線中継システムにおいて、
前記複数の無線中継装置のそれぞれは、
前記中継データを受信する受信部と、
前記受信部が前記中継データを受信した場合に、前記中継データを受信したことを示す受信表示を表示する表示部と、
前記受信部が受信した前記中継データを無線中継するために送信する送信部と
を備えたことを特徴とする。
【発明の効果】
【０００６】
この発明により、データが中継されるパスを簡単に目視で見分けられる安価なシステム、装置を提供できる。
【発明を実施するための最良の形態】
【０００７】
実施の形態１．
図１〜図４を用いて実施の形態１を説明する。実施の形態１は、無線中継の対象である中継データを受信した場合に、中継データを受信したことを示す受信表示を表示する表示部９を備えた無線端末２０、及び複数の無線中継装置から構成される無線中継システムに関する。ここで「受信表示」とは、中継データを受信したことがわかるものであれば、どのような表示部９を用いても構わない。以下では、表示部９としてＬＥＤを用いているが、これは一例である。表示部９は、ＬＥＤ以外の他の発光装置、発光素子でもよい。また表示部９は、発光装置に限らない。表示部９は、音を発生するブザーなどの音発生装置や、モータなどにより振動を発生する振動発生装置などでも構わない。また、機械的な動作により中継データの動作を表示する装置でも構わない。例えば、表示部が発光装置の場合、受信表示を表示するとは、中継データを受信した場合に光を発することをいう。また、音発生装置の場合、受信表示を表示するとは、中継データを受信した場合に音を発することをいう。また、振動発生装置の場合、受信表示を表示するとは、中継データを受信した場合に振動を発することをいう。
【０００８】
図１は、実施の形態１の無線端末２０（無線中継装置）の構成図であり、図２は、複数の無線端末を備える無線中継システムの構成図である。図２の無線中継システム１０００は、無線端末２０〜無線端末２９を備える。無線端末２１〜無線端末２９は、図１の無線端末２０の構成と同様である。
【０００９】
図１を参照して無線端末２０の構成を説明する。無線端末２０は、制御部１、記憶部２、送信部３、受信部４、アンテナ５、表示有無指定部６、表示時間設定部７、及び表示部９を備える。表示有無指定部６と表示時間設定部７とは、設定保持部８を構成する。
【００１０】
制御部１は、無線端末２０全体の動作を制御する、例えば、ＣＰＵ（Ｃｅｎｔｒａｌ  Ｐｒｏｃｅｓｓｉｎｇ  Ｕｎｉｔ））やＤＳＰ（Ｄｉｇｉｔａｌ  Ｓｉｇｎａｌ  Ｐｒｏｃｅｓｓｏｒ）などの回路である。
【００１１】
記憶部２は、制御部１の動作を記述したプログラムや様々な設定値、送信データや受信データを記憶するメモリなどの記憶素子、磁気ディスク装置などである。
【００１２】
送信部３は、制御部１から書き込まれたデータを無線信号に変換して送出する回路である。
【００１３】
受信部４は、受信した無線信号をデータに変換して記憶する回路である。
【００１４】
送信部３にて変換された無線信号は、アンテナ５を介して、他の無線端末に送信され、また、他の無線端末から無線信号として送信されたデータは、アンテナ５を経由して受信部４にて受信され、受信データに変換されて、記憶部２に記憶される。
【００１５】
設定保持部８は、表示有無指定部６と表示時間設定部７とから構成されている。表示有無指定部６は、制御部１からの読取信号６１により「設定状態」を読み取る（参照する）ことが可能な、スイッチなどの回路である。表示有無指定部６が保持する「設定状態」とは、受信表示を表示部９に表示させるか否かのいずれかの「表示設定」である。このように、表示有無指定部６は、「表示設定」を保持する。また、表示時間設定部７は、制御部１からの読取信号７１により「設定状態」を読み取る（参照する）ことが可能な、スイッチなどの回路である。表示時間設定部７が保持する「設定状態」とは、受信表示を表示部９に表示させる表示時間の設定を示す「時間設定」である。
【００１６】
表示部９は、制御部１により表示状態と非表示状態を設定可能な表示装置である。以下では、表示部９は、例としてＬＥＤを用いている。
【００１７】
次に動作について説明する。図２の無線中継システム１０００は、無線センサネットワークなどに使用されるＡｄ−ｈｏｃ  Ｏｎ  Ｄｅｍａｎｄ  Ｄｉｓｔａｎｃｅ  Ｖｅｃｔｏｒ  （ＡＯＤＶ）  Ｒｏｕｔｉｎｇ  （ＲＦＣ３５６１）などをベースにしたアドホックプロトコルを導入したアドホックネットワークである。
【００１８】
このアドホックネットワークにおいては、図１の構成の無線端末を、図２のように複数設置した場合を示している。図２の無線端末２１〜無線端末２９は図１の無線端末２０と同様の構成である。
【００１９】
（中継通信ルートの設定）
例えば無線端末２０から無線端末２９へデータ送信を行う場合は、まず、「ルート発見」および「ルート構築」という動作が行われる。「ルート発見」および「ルート構築」により、設置環境において、無線端末２０から無線端末２９への中継通信ルートが決定される。そして、ルート決定後、そのルートを使用して、データの転送が行われる。
【００２０】
ルートは設置環境によって変わるが、一例として、中継通信ルートとして
「無線端末２０−無線端末２１−無線端末２６−無線端末２９」
というルートが決定された場合の動作を例に説明する。
【００２１】
図３は、前記の中継通信ルートの場合を説明する図である。以下、図３を参照して説明する。
【００２２】
デバッグあるいは無線端末２０等の設置時に、どのようなルートでデータが中継転送されるかを知りたい場合、ユーザは、各無線端末の表示有無指定部６の「表示設定」を「表示」に設定し、表示時間設定部７の「時間設定」を、例えば「１秒」に設定する。
【００２３】
（無線端末２０）
無線端末２０から無線端末２９にデータ送信を行おうとした場合、「ルート発見」および「ルート構築」により、前記のように、中継通信ルートとして
「無線端末２０−無線端末２１−無線端末２６−無線端末２９」
というルートが決定されている。このため、無線端末２０の制御部１は、例えば、図４に示すようなフォーマットのデータフレーム１００を記憶部２内に作成し、無線端末２１に送信しようとする（Ｓ１０１）。
このデータフレーム１００は、
（１）ヘッダ部１１０の宛先アドレスフィールド１１３に無線端末２９のアドレスが設定され、
（２）発信元アドレスフィールド１１４に無線端末２０のアドレスが設定され、
（３）送信先アドレスフィールド１１１に無線端末２１のアドレスが設定され、
（４）送信元アドレスフィールド１１２に無線端末２０のアドレスが設定され
ている。
【００２４】
（無線端末２０）
無線端末２０では、表示有無指定部６の「表示設定」が、「表示」に設定されている。このため、無線端末２０の制御部１は、表示部９のＬＥＤを点灯させ、表示時間設定部７の設定状態にしたがって「１秒間」ウェイトする（Ｓ１０２）。ウェイト後、制御部１は、表示部９のＬＥＤを消灯させた後（Ｓ１０３）、記憶部２に格納されていたデータフレーム１００を、送信部３およびアンテナ５を経由して無線送信させる（Ｓ１０４）。
【００２５】
（無線端末２１）
無線送信されたデータフレーム１００は、無線端末２１のアンテナ５、受信部４を、経由して無線端末２１に受信され、記憶部２に記憶される（Ｓ１０５）。
【００２６】
（無線端末２１）
無線端末２１では、受信したデータフレームの解析を行う（Ｓ１０６）。無線端末２１では、受信したデータフレーム１００の送信先アドレスフィールド１１１が無線端末２１自身であり、宛先アドレスフィールド１１３が無線端末２９のアドレスであることから、データフレーム１００を中継すべきであると判断する。そして、無線端末２１の制御部１は、既に決定されている中継通信ルートに合わせて、
（１）受信したデータフレーム１００のヘッダ部１１０の宛先アドレスフィールド１１３および発信元アドレスフィールド１１４は変更せず、
（２）送信先アドレスフィールド１１１を無線端末２６のアドレスに変更し、
（３）また、送信元アドレスフィールド１１２を無線端末２１のアドレスに変更した送信データフレームを記憶部２内に作成する（Ｓ１０７）。
【００２７】
（無線端末２１）
無線端末２１も、表示有無指定部６の「表示設定」が、「表示」に設定されている。制御部１は、受信部４がデータフレーム１００（中継データ）を受信し、解析した場合に、表示有無指定部６が保持する「表示設定」を参照する。表示有無指定部６の「表示設定」は、「表示」に設定されているので、制御部１は、表示時間設定部７の保持する「時間設定」を読み取る。この場合、「時間設定」は「１秒」である。そして、制御部１は、受信表示として、表示部９のＬＥＤを点灯（表示）させ、表示時間設定部７の「時間設定」に従って、点灯状態から１秒間ウェイトする（Ｓ１０８）。ウェイトした後、制御部１は表示部９のＬＥＤを消灯させ（Ｓ１０９）、その後、記憶部２に保持されていたデータフレームを送信部３およびアンテナ５を経由して無線送信する（Ｓ１１０）。
【００２８】
（無線端末２６）
以下同様にして、
（１）無線端末２６によるデータフレームの受信、
（２）表示部であるＬＥＤの点灯、１秒ウェイト、ＬＥＤの消灯、
（３）データフレームの送信
が行われる。最終的に、無線端末２９によるデータフレームの受信が行われる。
【００２９】
（無線端末２９）
無線端末２９では、受信したデータフレームが記憶部２に記憶され（Ｓ１１１）、解析を行った結果、ヘッダ部の宛先アドレスフィールド１１３が無線端末２９自身のアドレスであることを知り、データ部１２０に格納されたデータの解釈および実行を行おうとする。その時、無線端末２９でも、表示有無指定部６が「表示」に設定されているため、無線端末２１の場合と同様に、表示部９のＬＥＤを点灯させ、表示時間設定部７の設定状態から１秒間ウェイトする（Ｓ１１３）。ウェイト後、表示部９のＬＥＤを消灯させ（Ｓ１１４）、その後、データ部で指示された動作を実行する（Ｓ１１５）。
【００３０】
実施の形態１の無線中継システムは、データフレームの発行元の無線端末２０および中継無線端末２１、中継無線端末２６、そして、宛先の無線端末２９のＬＥＤがデータフレームの転送順に、「点灯→消灯」するように設定できるので、複数の無線端末間でどのようなルートでデータ通信が行われるかが目視で簡単に分るようになる。
【００３１】
実施の形態１の無線端末は、受信部が中継データを受信した場合に、中継データを受信したことを示す受信表示を表示する表示部を備えたので、中継データの中継ルートを確認することができる。
【００３２】
実施の形態１の無線端末は、「表示設定」を保持する表示有無指定部を備えたので、表示部に表示させるかどうかを自由に設定することができる。例えば無線端末の設置を準備する場合には「表示設定」を表示に設定し、設置後必要がない場合には非表示に設定が可能となる。
【００３３】
実施の形態１の無線端末は、表示時間設定部が「時間設定」を保持するので、表示部に表示させる表示時間を自由に設定することができる。
【００３４】
実施の形態２．
次に図５を参照して実施の形態２を説明する。以上の実施の形態１では、表示有無指定部６、および表示時間設定部７をスイッチなどで実現しユーザが設定するものとした。実施の形態２では、これらを、例えばレジスタなどの回路で作成し、制御部１が「表示の有無」、「表示時間」を設定できるようにした場合を示す。
【００３５】
図５は、このような場合の実施の形態２における、発信元指示型の無線端末２０の構成例である。図１と同じ番号の部分は、同一または相当する部分を示す。この構成では、表示有無指定部２０１を制御部１からの設定信号６２で内容を設定変更できるようにしてあると共に、表示時間設定部２０２も同様に制御部１からの設定信号７２で内容を設定変更できるようにしてある。
【００３６】
次に、動作について説明する。図５に示す実施の形態２の無線端末２０も、実施の形態１同様に図２のように設置されているとする。即ち図５の無線端末が、無線端末２０〜無線端末２９として設置されているものとする。そして、「ルート発見」および「ルート構築」の結果、やはり、
「無線端末２０−無線端末２１−無線端末２６−無線端末２９」
という中継通信ルートが決定された場合を想定する。
【００３７】
デバッグや無線端末の設置時には、何れかの無線端末から他の全無線端末に対して、表示有無指定部２０１に「表示」を指示するデータフレーム２００（表示設定指定情報の一例）（図示せず）を送信する。このデータフレーム２００を受信した図５の無線端末２０の制御部１は、受信したデータフレーム２００を解析し、その指示に基づき、設定信号６２を有効にして、表示有無指定部６に「表示」を設定する。
【００３８】
また、何れかの無線端末から他の全無線端末に対して、表示時間設定部２０２に「１秒」を指示するデータフレーム２００（時間設定指定情報の一例）（図示せず）を送信する。このデータフレームを受信した図５の無線端末２０の制御部１は、受信したデータフレーム２００を解析し、その指示に基づき、設定信号７２を有効にして、表示時間設定部２０２に「１秒」に相当する値を設定する。こうした設定は、データフレーム２００のブロードキャストによって行っても良いし、図５の構成の無線端末２０を１つずつ指定して行っても良い。
【００３９】
こうした設定を行った後は、無線端末２０から無線端末２９にデータ送信をする場合には、実施の形態１の場合と同様な動作が行われ、
「無線端末２０→無線端末２１→無線端末２６→無線端末２９」
と、表示部９のＬＥＤが設定された１秒の間順々に点灯する。このため、目視で簡単に中継通信ルートが分るようになる。
【００４０】
実施の形態２の無線端末は、制御部１が「表示設定」を設定するので、手動による設定が不要となり、設定操作が容易になる。
【００４１】
実施の形態２の無線端末は、制御部１が「時間設定」を設定するので、手動による設定が不要となり、設定操作が容易になる。
【００４２】
実施の形態２の無線端末は、制御部が受信部の受信したデータフレームの情報に基づき、表示有無指定部と表示時間設定部の設定を行なう。従って、何れか１つの無線端末から、他の全ての無線端末に対してデータ通信時の表示／非表示、および表示実行時の表示時間を設定できる。このため、デバッグあるいは無線端末の設置時における操作が容易となり、しかも設定のし忘れをなくすことができる。あるいは、設定をし忘れた場合であっても、簡単に設定することができるため、操作性が向上する。
【００４３】
実施の形態３．
次に、図６を参照して実施の形態３を説明する。図６は、実施の形態３における無線端末２０を示す図である。実施の形態１及び実施の形態２では、表示有無指定部および表示時間設定部をハードウェアとして実現した場合の実施形態を示した。実施の形態３では、図６に示すように、記憶部２内が設定保持部８を備える。設定保持部８は、「表示設定」を記憶する表示有無設定記憶領域３０１、および「時間設定」を記憶する表示時間設定記憶領域３０２により構成される。これにより、本実施の形態３の無線端末２０は、表示有無設定記憶領域３０１に表示の有無を設定することが可能である。また、表示時間設定記憶領域３０２に表示時間を設定することが可能である。本実施の形態３の無線端末２０は、設定を記憶部２が記憶するので、実施の形態１のように、予め設定を記憶してもよいし、実施の形態２のように、受信データフレームに含まれるデータに基づき設定するように構成してもよい。いずれの場合にも対応可能である。
【００４４】
実施の形態３の無線端末は、記憶部が設定を記憶するので、より安価に無線端末を実現することができる。
【００４５】
実施の形態４．
次に図７、図８を参照して、実施の形態４を説明する。実施の形態１〜実施の形態３では、データ通信を行う前に、全ての無線端末にデータ通信時の表示／非表示、および表示実行時の表示時間を設定するようにした場合を示した。実施の形態４では、データフレーム自体に表示／非表示および表示実行時の表示時間を指定するフィールドを設けた実施形態を示す。
【００４６】
図７は、実施の形態４における無線端末２０の構成図である。図７の無線端末２０は、実施の形態１〜実施の形態３の無線端末に対して、設定保持部８が存在しない。これは、前記のように、データフレーム自体に表示／非表示、および表示実行時の表示時間を指定するフィールドを設けているため、設定を保持する必要がないためである。
【００４７】
図８は、本実施の形態４におけるデータフレーム４００のフォーマットを示す図である。データフレーム４００のヘッダ部１１０に表示指示フィールド４０１（表示指定データの一例）と表示時間指定フィールド４０２（時間指定データの一例）とを設け、送信するデータフレーム毎に、「表示有無」と、「表示有の場合の表示時間」を指定できるようにしている。
【００４８】
この場合の動作を説明する。システムは、図２と同様である。図７に示す実施の形態４の無線端末２０が、図２の無線端末２０〜無線端末２９となる。
【００４９】
このように実施の形態４のシステムでは、図２のように無線端末が設置され、「ルート発見」および「ルート構築」の結果、やはり、中継通信ルートとして
「無線端末２０−無線端末２１−無線端末２６−無線端末２９」
というルートが決定された場合を想定する。
【００５０】
デバッグや端末設置時に、どのようなルートでデータ転送が行われるかを知りたい場合、実施の形態４の無線端末２０は、送信するデータフレーム４００のヘッダ部１１０の表示指示フィールド４０１に「表示」を要求する値を設定し、表示時間指定フィールド４０２には、設定が「表示」の場合には、表示時間「１秒」を指定する値を設定する。各無線端末では、制御部１は実施の形態１および実施の形態２のように表示有無指定部を参照する代わりに、データフレーム４００のヘッダ部１１０の表示指示フィールド４０１を参照する。また制御部１は、表示時間設定部を参照する代わりに、表示時間指定フィールド４０２を参照する。これにより、無線端末２０から無線端末２９に中継データを送信する場合に、
「無線端末２０→無線端末２１→無線端末２６→無線端末２９」
と、表示部９のＬＥＤが設定された１秒の間、順々に点灯する。このため、目視で簡単に中継通信ルートが分るようになる。
【００５１】
実施の形態４の無線端末は、受信部が受信したデータフレームの情報に基づき、制御部が、表示部の表示／非表示と、表示部が表示する場合の表示時間とを決定する。従って、発信元でデータ通信時のＬＥＤなどの表示有無、および表示時間を指定することができる。よって、デバッグあるいは無線端末設置時の操作が簡単となり。しかも各無線端末に対する設定のし忘れをなくすことができ、操作性と信頼性が向上するという効果がある。また、設定保持部８が不要となるので、無線端末装置の構成が簡易となる。
【００５２】
実施の形態５．
次に、図９、図１０を参照して実施の形態５を説明する。図９は、本実施の形態５における無線端末８０の構成図である。図１０は、実施の形態５の無線中継システム２０００の構成図である。以上の実施の形態１〜実施の形態４では、表示部９による表示の仕方が１種類であった。無線中継システム２０００では、表示部９として色の異なる複数のＬＥＤを用いて、複数の状態を表せるようにした場合の実施形態を示す。
【００５３】
図９は、本実施の形態５における無線端末８０の構成図で、図１と同一の番号は同一もしくは相当する部分を示す。図９の無線端末８０は、図１の無線端末２０に対して、表示部９が、青色のＬＥＤ５０１と、黄色のＬＥＤ５０２と、赤色のＬＥＤ５０３とを備えたこと、及び受信部４が中継するべき中継データの受信強度を測定する受信強度測定部５１０を素備えたことが異なる。
【００５４】
このように、図９の無線端末８０は、表示部９のＬＥＤを、青色のＬＥＤ５０１と、黄色のＬＥＤ５０２と、赤色のＬＥＤ５０３のように、発光色が異なる３つのＬＥＤに変更し、受信部４にデータ受信時の受信電波強度を読み出す受信強度測定部を備えた。
【００５５】
表示部９であるＬＥＤ５０１〜ＬＥＤ５０３は、制御部１による制御が可能である。無線端末８０の制御部１は、受信強度測定部５１０が測定した中継データの受信強度に基づいて、表示部９を制御する。以下、具体的に説明する。
【００５６】
次に動作について説明する。
（１）無線端末８０の制御部１は、例えば実施の形態１のデータフレーム１００を受信した時に、同時にその時の受信電波強度を受信強度測定部５１０から読み出す。そして、受信したデータフレームと共に読み出した受信強度を記憶部２に記憶する。なお、記憶部２は、発光させるべきＬＥＤと受信強度との対応関係を予め記憶している。例えば
「受信強度≧設定値「大」の場合は、青色ＬＥＤ５０１を点灯」、
「設定値「大」＞受信強度≧設定値「小」の場合は黄色ＬＥＤ５０２を点灯」、
「設定値「小」＞受信強度の場合は赤色ＬＥＤ５０３を点灯」、
のような対応関係を記憶している。
（２）そして、制御部１は、表示有無指定部６を参照した結果、設定が「表示」に設定されていた場合には、記憶部２が記憶している受信電波強度と、発光させるべきＬＥＤと受信強度との対応関係とを確認する。そして、制御部１は、
受信強度が「大」を示す値以上の値の場合には青色ＬＥＤ５０１を点灯させ、
受信強度が「小」未満の値の場合には赤色ＬＥＤ５０３を点灯させ、
受信強度「中」（すなわち、受信強度が「小」以上かつ受信強度が「大」未満）の値の場合には黄色ＬＥＤ５０２を点灯させる制御を表示部９に対して行なう。
【００５７】
また、発信元は、受信強度大に相当するＬＥＤ青９１をさせるようにする。
【００５８】
こうした構成の複数の無線端末８０が図１０のように設置されており、「ルート発見」および「ルート構築」の結果、中継通信ルートとして
「無線端末８０−無線端末８１−無線端末８６−無線端末８９」
というルートが決定された場合を想定する。
【００５９】
無線端末８０から無線端末８９にデータ送信をする場合で、
無線端末８１での受信強度が「大」、
無線端末８６での受信強度が「小」、
無線端末８９での受信強度が「中」
の場合には、実施の形態１の場合と同様な動作が行われる。
すなわち、
「無線端末８０で青色ＬＥＤ５０１→無線端末８１で青色ＬＥＤ５０１→無線端末８６で赤色ＬＥＤ５０３→無線端末８９で黄色ＬＥＤ５０２」
が、それぞれ設定された１秒の間順々に点灯する。
このため、目視で簡単に中継通信ルートが分るようになると共に、それぞれの無線端末での受信強度の状態も簡単に見分けることができる。
【００６０】
なお、ここでは色の異なる３つのＬＥＤを使用する例を示したが、１つのＬＥＤで複数種類の色の発光が可能なＬＥＤを用いることで、無線端末をより小型にすることが可能となる。
【００６１】
また、実施の形態１で述べたように、ＬＥＤではなく、色を変えることが可能な他の素子、あるいは音を発生する音発生装置で発生する音の音色を変えたり発生する音の大きさを変えたり、あるいは振動発生装置において振動のモードを変化させたりしても構わない。
【００６２】
実施の形態５の無線端末は、制御部が、受信強度に基づいて表示部を制御する。しがって、中継ルートとともに、無線端末の受信強度を知ることができるので、無線端末設置時に、受信状態が好ましくない場所を簡単に特定できることができるようになる。また、中継ノード（無線端末）の追加、あるいは設置位置の移動により、全体として受信強度が均一化されるような配置とすることが簡単に行える。よって、設置時間の短縮や、システム全体での通信品質を向上させるための作業性の向上を実現できる。
【００６３】
以上の実施の形態では、無線アドホックネットワークにおいて、ネットワーク内の各無線端末に、無線中継通信動作中を示す表示手段と、表示手段による表示動作を行うかどうかを指定する表示有無指定手段と、表示手段による表示時間を指定する表示時間設定手段とを備えさせ、各無線端末は表示有無指定手段により表示動作を行うように指定された場合には、自身がデータフレームの発信元であるか、自身が宛先もしくは自身が中継すべきデータフレームを受信した時に、表示手段を表示状態にし、表示時間有無指定手段により指定された時間だけ経過した後、表示手段を非表示状態にし、データフレーム中に指定された宛先が自分自身でなければ、中継先もしくは宛先に向けてデータフレームを送信し、データフレーム中に指定された宛先が自分自身であった場合には、データ部に指定された動作を行うアドホックネットワーク制御方式を説明した。
【００６４】
以上の実施の形態では、ネットワーク内の各無線端末の表示有無指定手段の状態を、データフレーム中のデータ部の指示にて、無線端末自身もしくはネットワーク内の別の無線端末からの指示で設定できるようにしたアドホックネットワーク制御方式を説明した。
【００６５】
以上の実施の形態では、ネットワーク内の各無線端末の表示時間設定手段に設定する値を、データフレーム中のデータ部の指示にて、無線端末自身もしくはネットワーク内の別の無線端末からの指示で設定できるようにしたアドホックネットワーク制御方式を説明した。
【００６６】
以上の実施の形態では、ネットワーク内の各無線端末の表示有無指定手段の状態および表示時間設定手段に設定する値を、データフレーム中のヘッダ部の指示にて、無線端末自身もしくはネットワーク内の別の無線端末からの指示で、データフレーム毎に設定できるようにしたアドホックネットワーク制御方式を説明した。
【００６７】
以上の実施の形態では、ネットワーク内の各無線端末の無線動作中を示す表示手段をＬＥＤにし、点灯状態と消灯状態で目視にて区別できるようにしたアドホックネットワーク制御方式を説明した。
【００６８】
以上の実施の形態では、ネットワーク内の各無線端末の無線動作中を示す表示手段をブザーにして、音として聞こえるようにしたアドホックネットワーク制御方式を説明した。
【００６９】
以上の実施の形態では、ネットワーク内の各無線端末の無線動作中を示す表示手段をモータなどによる振動機とし、手の感触としてわかるようにしたアドホックネットワーク制御方式を説明した。
【００７０】
以上の実施の形態では、ネットワーク内の各無線端末にデータフレーム受信時の電波強度を測定する手段を設け、複数の色により複数の状態を表示することが可能な表示手段を設けて、受信したデータフレームの受信電波強度に応じて、表示手段の色を変更できるようにしたアドホックネットワーク制御方式を説明した。
【００７１】
以上の実施の形態では、ネットワーク内の各無線端末にデータフレーム受信時の電波強度を測定する手段を設け、音の大きさにより複数の状態を示すことが可能な表示手段を設け、受信したデータフレームの受信電波強度に応じて、表示手段の音の大きさを変えられるようにしたアドホックネットワーク制御方式を説明した。
【図面の簡単な説明】
【００７２】
【図１】実施の形態１における無線端末の構成図である。
【図２】実施の形態１における無線中継システムを示す図である。
【図３】実施の形態１における中継動作を示す図である。
【図４】実施の形態１におけるデータフレームを示す図である。
【図５】実施の形態２における無線端末の構成図である。
【図６】実施の形態３における無線端末の構成図である。
【図７】実施の形態４における無線端末の構成図である。
【図８】実施の形態４におけるデータフレームを示す図である。
【図９】実施の形態５における無線端末の構成図である。
【図１０】実施の形態５における無線中継システムを示す図である。
【符号の説明】
【００７３】
１  制御部、２  記憶部、３  送信部、４  受信部、５  アンテナ、６  表示有無指定部、７  表示時間設定部、８  設定保持部、９  表示部、２０，２１，２２，２３，２４，２５，２６，２７，２８，２９  無線端末、６１  読取信号、６２  設定信号、７１  読取信号、７２  設定信号、８０，８１，８２，８３，８４，８５，８６，８７，８８，８９  無線端末、１００  データフレーム、１１０  ヘッダ部、１２０  データ部、２００  データフレーム、２０１  表示有無指定部、２０２  表示時間設定部、３０１  表示有無設定記憶領域、３０２  表示時間設定記憶領域、４００  データフレーム、４０１  表示指示フィールド、４０２  表示時間指定フィールド、５０１，５０２，５０３  ＬＥＤ、１０００，２０００  無線中継システム。
【図１】
2007049373.tif 000003
【図２】
2007049373.tif 000004
【図３】
2007049373.tif 000005
【図４】
2007049373.tif 000006
【図５】
2007049373.tif 000007
【図６】
2007049373.tif 000008
【図７】
2007049373.tif 000009
【図８】
2007049373.tif 000010
【図９】
2007049373.tif 000011
【図１０】
2007049373.tif 000012
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
無線アドホックネットワークで使用され、無線中継の対象である中継データを受信するとともに受信した前記中継データを無線中継する無線中継装置において、
前記中継データを受信する受信部と、
前記受信部が前記中継データを受信した場合に、前記中継データを受信したことを示す受信表示を表示する表示部と、
前記受信部が受信した前記中継データを無線中継するために送信する送信部と、
前記受信表示を前記表示部に表示させるか否かのいずれかの設定である表示設定を保持する設定保持部と、
前記受信部が前記中継データを受信した場合に前記設定保持部が保持する前記表示設定を参照し、参照の結果、前記表示設定が前記受信表示を前記表示部に表示させる設定である場合に、前記受信表示を前記表示部に表示させる制御部と
を備え、
前記設定保持部は、さらに、
前記受信表示を前記表示部に表示させる表示時間の設定である時間設定を保持し、
前記制御部は、
前記受信部が前記中継データを受信した時に、前記設定保持部の保持する前記表示設定が前記受信表示を前記表示部に表示させる設定の場合には前記設定保持部が保持する前記時間設定の示す前記表示時間が経過するまで前記受信表示を前記表示部に表示させ、
前記送信部は、
前記表示部による前記受信表示の表示が終了すると前記中継データを無線中継するために送信することを特徴とする無線中継装置。
【請求項２】
前記受信部は、
前記表示設定を指定する表示設定指定情報を受信し、
前記制御部は、
前記受信部が受信した前記表示設定指定情報に従って前記表示設定を設定し、設定した前記表示設定を前記設定保持部に保持させることを特徴とする請求項１記載の無線中継装置。
【請求項３】
前記受信部は、
前記時間設定を指定する時間設定指定情報を受信し、
前記制御部は、
前記受信部が受信した前記時間設定指定情報に従って前記時間設定を設定し、設定した前記時間設定を前記設定保持部に保持させることを特徴とする請求項１記載の無線中継装置。
【請求項４】
無線アドホックネットワークで使用され、無線中継の対象である中継データを受信するとともに受信した前記中継データを無線中継する無線中継装置において、
前記中継データを受信する受信部と、
前記受信部が前記中継データを受信した場合に、前記中継データを受信したことを示す受信表示を表示する表示部と、
前記受信部が受信した前記中継データを無線中継するために送信する送信部と
を備え、
前記受信部が受信する前記中継データは、
前記受信表示を前記表示部に表示させることを指定する表示指定データを含み、
前記無線中継装置は、さらに、
前記受信部が受信した前記中継データに含まれる前記表示指定データに従って、前記受信表示を前記表示部に表示させる制御部を備え、
前記受信部が受信する前記中継データは、さらに、
前記受信表示を前記表示部に表示させる表示時間を指定する時間指定データを含み、
前記制御部は、
前記受信部が前記中継データを受信した時に、前記中継データに含まれる前記時間指定データの指定する前記表示時間が経過するまで前記受信表示を前記表示部に表示させ、
前記送信部は、
前記表示部による前記受信表示の表示が終了すると前記中継データを無線中継するために送信することを特徴とする無線中継装置。
【手続補正２】
【補正対象書類名】明細書
【補正対象項目名】００６３
【補正方法】変更
【補正の内容】
【００６３】
以上の実施の形態では、無線アドホックネットワークにおいて、ネットワーク内の各無線端末に、無線中継通信動作中を示す表示手段と、表示手段による表示動作を行うかどうかを指定する表示有無指定手段と、表示手段による表示時間を指定する表示時間設定手段とを備えさせ、各無線端末は表示有無指定手段により表示動作を行うように指定された場合には、自身がデータフレームの発信元であるか、自身が宛先もしくは自身が中継すべきデータフレームを受信した時に、表示手段を表示状態にし、表示時間設定手段により指定された時間だけ経過した後、表示手段を非表示状態にし、データフレーム中に指定された宛先が自分自身でなければ、中継先もしくは宛先に向けてデータフレームを送信し、データフレーム中に指定された宛先が自分自身であった場合には、データ部に指定された動作を行うアドホックネットワーク制御方式を説明した。